(57)【要約】【課題】取付部品の取付方向に十分な空間がない場合でも他の場所に容易に設置することができ、また、取付部品にガタがある場合でも、これを吸収して確実に動作することのできる保護スイッチ装置、及びこれを備えた空気調和機を提供する。【解決手段】前面側にアクチュエータ２２を有し、機器の側壁２ａに取付けられる保護スイッチ２１と、支持軸２６、この支持軸２６に直交して設けられ下面に幅方向の内側から外側に向って下方に傾斜する傾斜面を有する回転軸当接部２７、及び回転軸当接部２７とほぼ直交して支持軸２６に設けられたスイッチ当接部２８からなるスイッチ操作レバー２５とを有し、スイッチ操作レバー２５を、保護スイッチ２１のアクチュエータ２２と、側壁２ａから突出した取付部品の回転軸４ａとの間に、支持軸２６を回転軸４ａと平行にかつ回転軸当接部２７の下面が回転軸４ａに当接するように側壁２ａに回動自在に取付けるようにした。【選択図】図４
2008082585.tif 000002
【特許請求の範囲】
【請求項１】
前面側にアクチュエータを有し、機器の側壁に取付けられる保護スイッチと、支持軸、該支持軸に直交して設けられ下面に幅方向の内側から外側に向って下方に傾斜する傾斜面を有する回転軸当接部、及び該回転軸当接部とほぼ直交して前記支持軸に設けられたスイッチ当接部からなるスイッチ操作レバーとを有し、
該スイッチ操作レバーを、前記保護スイッチのアクチュエータと前記側壁から突出した取付部品の回転軸との間に、前記支持軸を前記回転軸と平行にかつ前記回転軸当接部の下面が前記回転軸に当接するように前記側壁に回動自在に取付けるようにしたことを特徴とする保護スイッチ装置。
【請求項２】
前記スイッチ操作レバーの回転軸当接部の下面をねじれ面形状に形成したことを特徴とする請求項１記載の保護スイッチ装置。
【請求項３】
前記スイッチ操作レバーに、該スイッチ操作レバーの回動範囲を規制する回動範囲規制リブを設けたことを特徴とする請求項１又は２記載の保護スイッチ装置。
【請求項４】
前記請求項１〜３のいずれかの保護スイッチ装置を、風向フラップ及び開閉グリルの両者又はいずれか一方の回転軸に近接して取付けたことを特徴とする空気調和機。
【請求項５】
両側に回転軸を有し空気吹出口の側壁の間に回動自在かつ着脱可能に装着された風向フラップを備え、前記側壁から突出した前記風向フラップの一方の回転軸に近接して前記請求項１〜３のいずれかの保護スイッチ装置を取付けたことを特徴とする空気調和機。
【請求項６】
両側に回転軸を有し側壁の間に回動自在かつ着脱可能に装着された開閉グリルを備え、カムを有し前記側壁から突出した前記開閉グリルの一方の回転軸に近接して前記請求項１〜３のいずれかの保護スイッチ装置を取付けたことを特徴とする空気調和機。
【請求項７】
前記側壁に、回転軸挿通穴を有するスイッチ固定部材を取付けて、該スイッチ固定部材に前記保護スイッチ装置を取付けたことを特徴とする請求項５又は６記載の空気調和機。
【請求項８】
前記側壁又はスイッチ固定部材に前記保護スイッチ装置のスイッチ操作レバー又は該スイッチ操作レバーに設けた回動範囲規制リブが当接するストッパを設けたことを特徴とする請求項５〜７のいずれかに記載の空気調和機。
【発明の詳細な説明】
【技術分野】
【０００１】
本発明は、保護スイッチ装置及びこの保護スイッチ装置を備えた空気調和機に関するものである。
【背景技術】
【０００２】
例えば、着脱可能な風向フラップや開閉グリルを備えた空気調和機においては、風路内部を清掃するために風向フラップを取外し、あるいは開閉グリルを開放したときに、内部に設けた回転中の室内ファンに手が触れないように、風向フラップが取外されあるいは開閉グリルが開放されると、室内ファンの駆動回路がＯＦＦされるような保護スイッチが設けられている。
【０００３】
従来の空気調和機に、下部に支持体が結合され、ケーシングの側面に設けた空気吸込口に着脱自在に設けた吸込グリルと、空気吸込口の奥に設けられて室内ファンの駆動回路に接続された安全スイッチとを有し、吸込グリルを空気吸込口に装着すると支持体が安全スイッチを押圧してＯＮし、吸込グリルを取外すと安全スイッチがＯＦＦするようにしたものがある（例えば、特許文献１参照）。
【０００４】
【特許文献１】特開平４−２５１１３３号公報（第２−３頁、図１，３）
【発明の開示】
【発明が解決しようとする課題】
【０００５】
特許文献１の空気調和機おいては、吸込グリルの着脱方向と安全スイッチの動作方向とが同方向であるため、空気吸込口に装着した吸込グリルの背面側に十分な空間がない場合には、安全スイッチを配置することができなかった。
また、空気吸込口とこれに装着する吸込グリルとの間にガタがあると、吸込グリルを装着したときに安全スイッチの動作範囲から外れることがあり、さらに、通常に装着された場合でも、両者の前後方向の位置関係から、安全スイッチが動作しないことがあった。
【０００６】
本発明は、上記の課題を解決するためになされたもので、取付部品の取付方向に十分な空間がない場合でも他の場所に容易に設置することができ、また、取付部品にガタがある場合でも、これを吸収して確実に動作することのできる保護スイッチ装置及びこれを備えた空気調和機を提供することを目的としたものである。
【課題を解決するための手段】
【０００７】
本発明に係る保護スイッチ装置は、前面側にアクチュエータを有し、機器の側壁に取付けられる保護スイッチと、支持軸、該支持軸に直交して設けられ下面に幅方向の内側から外側に向って下方に傾斜する傾斜面を有する回転軸当接部、及び該回転軸当接部とほぼ直交して前記支持軸に設けられたスイッチ当接部からなるスイッチ操作レバーとを有し、該スイッチ操作レバーを、前記保護スイッチのアクチュエータと前記側壁から突出した取付部品の回転軸との間に、前記支持軸を前記回転軸と平行にかつ前記回転軸当接部の下面が前記回転軸に当接するように前記側壁に回動自在に取付けるようにしたものである。
【０００８】
また、本発明に係る空気調和機は、上記の保護スイッチ装置を、風向フラップ及び開閉グリルの両者又はいずれか一方の回転軸に近接して取付けたものである。
【発明の効果】
【０００９】
本発明によれば、保護スイッチを取付部品の回転軸の軸方向と直交する位置に設置できるので、回転軸の軸方向に空間部がない場合でも容易に設置することができ、これにより設置場所の自由度を拡大することができる。
また、スイッチ操作レバーの支持軸を取付部品の回転軸と平行に設置し、回転軸当接部の下面を傾斜面又はねじれ面形状としてスイッチ操作レバーの取付位置を調整できるようにしたので、保護スイッチを確実に動作させることができ、動作不良をなくすことができる。
【発明を実施するための最良の形態】
【００１０】
［実施の形態１］
図１は本発明の実施の形態１に係る空気調和機の空気吸込口周辺の斜視図、図２は図１の要部の斜視図、図３は図２の保護スイッチのスイッチカバーを取外した状態を示す拡大図である。
図１において、１は空気吹出口で、両側に設けた側壁２ａ，２ｂの間には、両端部に設けた回転軸４ａ，４ｂにより、取付部品である風向フラップ３が回転自在かつ着脱可能に支持されている。５は一方の側壁４ｂの外壁面に設けられた風向フラップ３を駆動するモータ、２０は他方の側壁４ａの外壁面に設けられた保護スイッチ装置である。
【００１１】
図２，図３において、１０は側壁２ａに設けた風向フラップ３の回転軸４ａの挿通穴（図示せず）と連通する回転軸挿通穴１１を有し、側壁２ａの側壁面にねじ１２ａ，１２ｂによって固定されたスイッチ固定部材で、ねじ１２ｂの後面側（以下、図３の右側を前面側、左側を後面側という）には、ストッパ１３が突設されている。
【００１２】
保護スイッチ装置２０は、前面側上部にアクチュエータ２２を有し、スイッチ固定部材１０と、一端がスイッチ固定部材１０に取付けられたほぼＬ字状のスイッチカバー１５との間に挾持固定された保護スイッチ２１と、この保護スイッチ２１のアクチュエータ２２を開閉するスイッチ操作レバー２５とからなっている。
【００１３】
スイッチ操作レバー２５は、図５に示すように、保護スイッチ２１のアクチュエータ２２の下部近傍において、両端部がスイッチ固定部材１０とスイッチカバー１５との間に、風向フラップ３の回転軸４ａと平行に、回動自在に支持された支持軸２６と、支持軸２６と直交して一体に設けられ、下面が風向きフラップ３の回転軸４ａに当接するほぼＬ字状の回転軸当接部２７と、この回転軸当接部２７とほぼ直交して支持軸２６と一体に設けられたスイッチ当接部２８と、回転軸当接部２７とスイッチ当接部２８を一体に連結する連結部２９と、回転軸当接部２７の前面側に延設された回動範囲規制リブ３０とからなっている。
【００１４】
そして、回転軸当接部２７の下面は、図３，図５に示すように、風向フラップ３を取外すことにより、スイッチ操作レバー２５が自重により下方に回動し、ストッパ１３に当って停止したときに、その幅方向のスイッチ固定部材１０側（以下、内側という）が、回転軸挿通穴１１の上縁部近傍に位置し、その反対側（以下、外側という）が、下方に向って傾斜する傾斜面２７ａに形成されている。
【００１５】
次に、図３，図４により上記のように構成した保護スイッチ装置２０の作用について説明する。なお、図３，図４はスイッチカバー１５を取外した状態を示す。
図３は風向フラップ３を空気吹出口１から取外した状態を示すもので、スイッチ固定部材１０の回転軸挿通穴１１には、風向フラップ３の回転軸４ａが挿通されていない。このため、スイッチ操作レバー２５は、支持軸２６を中心に自重により下方に向って回動し、その回動範囲規制リブ３０がストッパ１３に当って停止する。これにより、スイッチ当接部２８は保護スイッチ２１のアクチュエータ２２から離脱するので、保護スイッチ２１は自動的にＯＦＦになり、室内ファンの駆動回路が開放される。
【００１６】
このとき、スイッチ操作レバー２５の回転軸当接部２７の下面は、前述のように傾斜面２７ａに形成されているので、その幅方向の内側は回転軸挿通穴１１の上縁部近傍に位置し、幅方向の外側は回転軸挿通穴１１のほぼ中心部近傍においてその外側に位置する。
【００１７】
空気吹出口１に風向フラップ３を装着すると、図４に示すように、その回転軸４ａがスイッチ固定部材１０の回転軸挿通穴１１から外側に突出し、スイッチ操作レバー２５の回転軸当接部２７に当接してこれを押上げる。これによりスイッチ操作レバー２５は支持軸２６を中心に回動し、保護スイッチ２１のアクチュエータ２２がスイッチ操作レバー２５のスイッチ当接部２８に押圧されてＯＮし、室内ファンの駆動回路を開閉する。
【００１８】
このとき、スイッチ操作レバー２５の回転軸当接部２７の下面の幅方向の内側は、回転軸挿通穴１１の上縁部近傍に位置し、幅方向の外側になるにしたがって下方に傾する傾斜面２７ａに形成されているので、回転軸４ａを回転軸挿通穴１１に容易に挿入することができ、かつ回転軸４ａの挿入量が増すにしたがってスイッチ操作レバー２５が回動し、回転軸４ａの軸方向の押圧力がこれと直交するスイッチ操作レバー２５の押圧力に変換されて、保護スイッチ２１のアクチュエータ２２に衝撃を与えることなく、スムーズにＯＮすることができる。
【００１９】
本実施の形態によれば、スイッチ操作レバー２５の回転軸当接部２７の幅と、風向フラップ３の回転軸４ａの回転軸挿通穴１１への挿入量とにより、スイッチ操作レバー２５の回動角度を算出できるので、スイッチ操作レバー２５の取付位置を適宜調整することができる。また、スイッチ操作レバー２５のスイッチ当接部２８の位置により保護スイッチ２１の取付位置を調整できるので、これらにより保護スイッチ装置２０の取付位置の自由度を拡大することができる。
【００２０】
また、スイッチ装置レバー２５の支持軸２６と、回転軸当接部２７間の距離、あるいは支持軸２６とスイッチ当接部２８間の距離又は取付角度を任意に調整することにより、スイッチ当接部２８の動作範囲を決めることができるので、保護スイッチ２１の動作範囲内にスイッチ操作レバー２５を設置することにより、保護スイッチ２１を確実に動作させることができる。
【００２１】
上記の説明では、空気吹出口１の側壁４ａにスイッチ固定部材１０を設け、このスイッチ固定部材１０に保護スイッチ装置２０を取付けた場合を示したが、スイッチ固定部材１０を省略し、側壁４ａに直接保護スイッチ装置２０を取付けてもよい。
【００２２】
また、スイッチ装置レバー２５の回転軸当接部２７の下面を傾斜面２７ａに形成した場合を示したが、この傾斜面２７ａをねじ山のようなねじれ面形状に形成してもよい。これにより、回転軸４ａと回転軸挿通穴１１との間にガタがある場合などにおいてもこれを吸収することができるので、保護スイッチ２１をより確実にＯＮ−ＯＦＦすることができる。
【００２３】
さらに、スイッチ固定部材１０のねじ１２ｂの後面側にストッパ１３を設けると共に、スイッチ操作レバー２５の回転軸当接部２７の先端部に、これに当接する回動範囲規制リブ３０を設けた場合を示したが、ストッパ１３及びこれに当接する回動範囲規制リブ３０は適宜の位置に設けてもよく、さらには、スイッチ操作レバー２５の回動範囲規制リブ３０を省略し、スイッチ操作レバー２５の回転軸当接部２７又はスイッチ当接部２８を、これに対応して側壁４ａ又はスイッチ固定部材２８に設けたストッパに直接当接するようにしてもよい。
【００２４】
上記のように構成した本実施の形態によれば、保護スイッチ装置２０を風向フラップ３の回転軸４ａの軸方向と直交する位置に設置できるので、回転軸４ａの軸方向に空間部がない場合でも容易に設置することができ、これにより設置場所の自由度を拡大することができる。
また、スイッチ操作レバー２５の支持軸２６を、風向フラップ３の回転軸４ａと平行にして、回転軸当接部２７の下面を傾斜面２７ａとし、あるいはねじれ面形状としてスイッチ操作レバー２５の取付位置を調整できるようにしたので、保護スイッチ２１を確実に動作させることができ、動作不良をなくすことができる。
【００２５】
［実施の形態２］
図６は本発明の実施の形態２に係る保護スイッチ装置の説明図である。なお、実施の形態１と同じ部分にはこれと同じ符号を付し、説明を省略する。
実施の形態１では、本発明に係る保護スイッチ装置２０を、空気調和機の空気吹出口１に設けた風向フラップ３の回転軸４ａによって動作する場合を示したが、本実施の形態は、保護スイッチ装置２０を、空気調和機の前面側に設けられ、下端部又は上端部の両側に設けられて本体ケースに回動可能に支持された取付部品である開閉グリルの回転軸の回動によって動作する位置に設けたものである。
【００２６】
本実施の形態は、例えば図６（ａ）に示すように、風向きグリルの一方の側の回転軸３５にカム３６を設け、開閉グリルを閉じたときは回転軸３５が矢印ａ方向に回動し、スイッチ操作レバー２５の回転軸当接部２７がカム３６に駆動されて回動し、そのスイッチ当接部２８が保護スイッチ２１のアクチュエータ２２を押圧し、ＯＮする。また、内部の清掃等のため開閉グリルを開放したときは、図６（ｂ）に示すように、回転軸３５が矢印ｂ方向に回動し、スイッチ操作レバー２５の回転軸当接部２７がカム３６から外れて自重により回動して回転軸３５に当接し、スイッチ当接部２８がアクチュエータ２２から離脱して保護スイッチ２１をＯＦＦする。なお、開閉グリルを取外したときも同様である。
【００２７】
上記の説明はその一例を示すもので、開閉グリルを開閉したときに、スイッチ操作レバー２５を駆動して保護スイッチ２１をＯＮ−ＯＦＦするものであれば、他の機構であってもよい。
本実施の形態は、通常、開閉するだけで取外すことの少ない空気調和機の開閉グリルの回転軸３６の近傍に保護スイッチ装置２０を設け、開閉グリルを開放したときに保護スイッチ２１をＯＦＦして室内ファンの駆動回路を開放するようにしたもので、実施の形態１の場合とほぼ同様の効果を得ることができる。
【産業上の利用可能性】
【００２８】
上記の説明では、本発明に係る保護スイッチ装置を空気調和機に実施した場合を示したが、例えば、電気複写機の開閉カバーのロック機構など、他の電気機器の保護スイッチ装置にも実施することができる。
【図面の簡単な説明】
【００２９】
【図１】本発明の実施の形態１に係る空気調和機の空気吹出口周辺の斜視図である。
【図２】図１の要部の斜視図である。
【図３】図２の保護スイッチ装置のスイッチ固定カバーを取外した状態を示す拡大図である。
【図４】保護スイッチ装置の作用説明図である。
【図５】図３のスイッチ操作レバーの斜視図である。
【図６】本発明の実施の形態２に係る空気調和機の開閉グリルの回転軸の近傍に保護スイッチ装置を設けた場合の説明図である。
【符号の説明】
【００３０】
１  空気吹出口、２ａ，２ｂ  側壁、３  風向フラップ、４ａ，４ｂ  風向フラップの回転軸、１０  スイッチ固定部材、１１  回転軸挿通穴、１３  ストッパ、２０  保護スイッチ装置、２１  保護スイッチ、２２  アクチュエータ、２５  スイッチ操作レバー、２６  支持軸、２７  回転軸当接部、２７ａ  傾斜面、２８  スイッチ当接部、３０  回動範囲規制リブ、３５  開閉グリルの回転軸、３６  カム。
【図１】
2008082585.tif 000003
【図２】
2008082585.tif 000004
【図３】
2008082585.tif 000005
【図４】
2008082585.tif 000006
【図５】
2008082585.tif 000007
【図６】
2008082585.tif 000008